(57)【要約】【課題】  部品点数及び工数を低減し、容易に製造しうる簡易なヒンジ構造で、良好に機能する合理的な構成のヒンジ構造を備える。【解決手段】  板状ベース部２の一側に一対の綴管３１を備えた側板３を回動自在にヒンジ結合し、他側に一対の綴棒を備えた側板を着脱自在に取り付ける。板状ベース部２の側部に４個のヒンジ管２２を直列に配列し、側板３の下端部にヒンジ管２２と嵌合するヒンジ棒３２を構成する。ヒンジ棒３２をそのヒンジ管２２に嵌合させた場合に、側版３のヒンジ棒３２の直上で内側の二つのヒンジ管２２と対応する部位に開口部３３を形成し、かつ各ヒンジ管２２の下部に、側板３が上下反転状態でヒンジ棒３２がそのヒンジ管２２内を軸心に沿って移動し得るように、側板３の板厚を越える幅のスリット２２ａを形成する。【選択図】  図８
2005041137.tif 000002
【特許請求の範囲】
【請求項１】
ファイル用バインダの背表紙部の内面に取り付けられ、対面する一方に綴棒を、他方にこれと嵌脱自在に嵌合する綴管を備えた一対の側板と、該側板を両側部に立ち上げる板状ベース部とで構成され、該一対の側板の一方の側の下端部が前記板状ベース部の対応する側部と着脱自在に結合すると共に、他方の側の下端部が前記板状ベース部の対応する側部とヒンジ結合する片開き構造のファイル用綴金具に於いて、
前記ヒンジ結合部を構成する板状ベース部の側部に一個の又は直列に配した複数個のヒンジ管であって、該板状ベース部の外側方に張り出すヒンジ管を構成し、
前記ヒンジ結合部を構成する側板の下端部に、前記ヒンジ管と嵌合するヒンジ棒を構成すると共に、該ヒンジ棒を前記ヒンジ管に嵌合させた場合に、該側版の該ヒンジ棒の直上に当たる部分の少なくとも該ヒンジ管と対応する部位に該ヒンジ管を回避するための開口部を形成し、
かつ該ヒンジ管の下側の部位に、前記側板が上下反転した状態で前記ヒンジ棒が該ヒンジ管内をその軸心に沿って移動し得るように、該側板の板厚を越える幅のスリットを前記板状ベース部の側端縁に近接して平行に形成してなるファイル用綴金具。
【請求項２】
前記ヒンジ棒を、前記側板の下端部から延長したヒンジ棒用延長片を丸めて構成した請求項１のファイル用綴金具。
【発明の詳細な説明】
【技術分野】
【０００１】
本発明は、バインダ本体の背表紙部内面に取り付けてファイル対象紙片を綴じる片開き構造のファイル用綴金具、特に、その固定側のヒンジ部の構成を合理化し、容易かつ効率的に製作可能にしたファイル用綴金具に関するものである。
【背景技術】
【０００２】
従来より、多くのファイル用綴金具では、一対の側板と、これらをその両側に立ち上げる板状ベース部とが各々ヒンジ結合されている。上記一対の側板の内、一方のそれには一対の綴棒が、他方にはこれと嵌脱自在に嵌合する一対の綴管が備えられている。上記綴棒と綴管とは、相互を離脱させて、これにファイル対象紙片を綴じ込み又は抜き取り、綴じ込んだそれは、相互の嵌合状態で、その綴じ込み状態を維持するようになっている。
【０００３】
前記側板の内の少なくとも一方は、その下端部が板状ベース部の対応する側部と着脱自在にヒンジ結合されていて、このヒンジ結合を解除すると、他方の側板がその下端部のヒンジ軸廻りに回動可能となり、前記綴棒と前記綴管との相互の嵌合状態のままで、即ち、一対の側板の相互の結合状態のままで、これを回動させると、続いてヒンジ結合を解除した側の側板の綴棒又は綴管を引き抜くことが可能となる。そこでこれを抜き取れば、前記したように、相互に嵌合状態が解除された綴管又は綴棒のいずれに対してでも、容易にファイル対象紙片を抜き取ることも新たに綴じ込むことも可能になる。もっとも、通常は、板状ベース部に結合している側板の綴管又は綴棒にファイル対象紙片を綴じ込んだり抜き取ったりするのが使いやすい。
【０００４】
このようなヒンジの内、着脱自在に構成されているものは、着脱自在とするためにそれぞれ独特の工夫がされ、その構成を一般的なものとして云うことはできないが、着脱できない構成のヒンジは、通常以下のように構成されている。
【０００５】
即ち、このようなヒンジは、側板の下端部と板状ベース部の対応する側部とに同径のヒンジ管を交互に、かつ軸心を合わせて直列に配置したうえで、これらのヒンジ管に共通のヒンジピンを挿入して構成される。更に、ヒンジピンには、逸脱防止のため、一方の端部を太くする、または端部に逸脱防止用のピンを挿入する、或いは嵌合するヒンジ管の内側にスペーサを嵌め込む、若しくはヒンジ管の端部を押し潰す等の処理が必要となる。そのため、ヒンジ部の製作には多大な工数を要し、部品点数も増え、ファイル用綴金具のコスト増に繋がっている。
【０００６】
このようなヒンジは、片開きタイプのファイル用綴金具に一般的に用いられているはずであるが、一般的に過ぎるため、公報類の中ではきちんと説明されたり、図示されたりするものは殆どない。特許文献１及び特許文献２に僅かにこのようなものと思われるヒンジが図示されているので、参考のためにこれを挙示する。
【０００７】
【特許文献１】特開平１１−１１５３６２号公報（図１、図５）
【特許文献２】特開２０００−２２９４９４号公報（図１）
【発明の開示】
【発明が解決しようとする課題】
【０００８】
本発明は、以上のような従来のファイル用綴金具の問題点を解消し、部品点数及び工数を低減し、スピーディに製造しうる簡易なヒンジ構造でありながら良好に機能する合理的な構成のヒンジを備えたファイル用綴金具を提供することを解決の課題とする。
【課題を解決するための手段】
【０００９】
本発明の１は、ファイル用バインダの背表紙部の内面に取り付けられ、対面する一方に綴棒を、他方にこれと嵌脱自在に嵌合する綴管を備えた一対の側板と、該側板を両側部に立ち上げる板状ベース部とで構成され、該一対の側板の一方の側の下端部が前記板状ベース部の対応する側部と着脱自在に結合すると共に、他方の側の下端部が前記板状ベース部の対応する側部とヒンジ結合する片開き構造のファイル用綴金具に於いて、
前記ヒンジ結合部を構成する板状ベース部の側部に一個の又は直列に配した複数個のヒンジ管であって、該板状ベース部の外側方に張り出すヒンジ管を構成し、
前記ヒンジ結合部を構成する側板の下端部に、前記ヒンジ管と嵌合するヒンジ棒を構成すると共に、該ヒンジ棒を前記ヒンジ管に嵌合させた場合に、該側版の該ヒンジ棒の直上に当たる部分の少なくとも該ヒンジ管と対応する部位に該ヒンジ管を回避するための開口部を形成し、
かつ該ヒンジ管の下側の部位に、前記側板が上下反転した状態で前記ヒンジ棒が該ヒンジ管内をその軸心に沿って移動し得るように、該側板の板厚を越える幅のスリットを前記板状ベース部の側端縁に近接して平行に形成してなるファイル用綴金具である。
【００１０】
本発明で対象とするファイル用綴金具は、既述のように、一対の側板と板状べース部とからなり、該一対の側板の内の一方の側板の下端が板状ベース部の一方の側部に固定的にヒンジ結合し、他方の側板の下端が該板状ベース部の他の側部に着脱自在に結合する、いわゆる片開きの綴金具である。
【００１１】
前記ヒンジ管は、これを直接板状ベース部の側部に立ち上げた延長片を丸めて構成することとしても良いが、該板状ベース部の側部から支持片を立ち上げ、その上端に更に立ち上げた延長片を丸めて構成するようにするのが、これに対応して構成される両側の側板の寸法的なバランスを取る観点から適当である。
【００１２】
該ヒンジ管は、板状ベース部の側部に直接に構成する場合でも、この部位から支持片を立ち上げて構成する場合も、既述のように、それぞれ該当する部位から延長する延長片を丸めて構成するのが簡易であり、それ故、前記スリットは、その先端とその延長先との間を開けて形成することとするのが適当である。このように構成することにより、スリットは、前者の場合は、板状ベース部の側端縁に沿って構成されることになり、後者の場合は、支持片の外面の最上部に沿って構成されることになる。いずれにしても板状ベース部の側端縁に平行に構成されることになる訳である。
【００１３】
なお前記スリットは、前記ヒンジ管に前記ヒンジ棒を嵌合させるべく前者の一端から挿入する際に、該ヒンジ棒を下端部で支持する側板を通過させるためのものであるから、当然、該側板の厚みを越える幅を持つものとする。
【００１４】
前記ヒンジ棒は、前記のように、側板の下端部に構成するものであるが、これと前記ヒンジ管との嵌合状態は、云うまでもなく、回動自在なものでなければならない。従って相互の所定の嵌合状態に於いて、ヒンジ棒に結合する側板の下端部の内、ヒンジ管に対応する部位、即ち、嵌合状態のヒンジ管の直上の部位には、前記のように、開口部を形成し、これによって側板がヒンジ管に干渉するようなことがないようにする。なお側板に形成した開口部は、見方を変えれば、その両側に支持脚を形成したことになり、側板本体の下端から支持脚を垂下し、該支持脚の下端でヒンジ棒を支持したというように云うこともできる。即ち、前記開口部を形成したということは、その両側に支持脚を形成したというのと同一の趣旨である。
【００１５】
なお前記開口部の幅、或いは支持脚の間の幅は、その部位のヒンジ管に対応させ、それを僅かに越える程度の寸法とする。ヒンジ管にヒンジ棒を嵌合し、綴金具としての使用状態で、側板がヒンジ管及びヒンジ棒の軸方向にガタ付きを生じさせない趣旨である。
【００１６】
前記のように、ヒンジ管は一個以上設けるべきものであるが、これを一個だけ設けた場合は、バランスを保持する都合上、前記開口部は該側板の下部中央に形成するべきである。これは、見方を変えれば、側板本体から左右対称形に二つの支持脚を該ヒンジ管を両端側から挟む状態に垂下させるものである。この場合、該ヒンジ管は前記ヒンジ棒を安定して確実に支持し得るだけの十分な長さを有するものとすべきである。
【００１７】
前記ヒンジ管を複数個設けた場合は、前記側板の開口部は、これらの各々のヒンジ管に対応する部位に、それぞれヒンジ管を一個だけ設けた場合と同様に形成する。
【００１８】
前記ヒンジ棒は、既述のように、側板の下端部に構成するものであるが、文字通りの棒である必要はない。この明細書及び特許請求の範囲中ではヒンジ棒としての機能を果たしうる全てのものを含む概念として用いている。また該ヒンジ棒は、前記ヒンジ管への嵌脱操作の際に、これを下端に構成した側板の該当部位が前記スリットを通過可能であるように、相互の取付位置関係を設定しておく必要がある。前記のように、側板を上下反転させた状態で、ヒンジ棒の嵌脱操作を行う趣旨からは、該側板の下端に対面する側板側に膨らんだ状態に構成するべきである。
【００１９】
なお他方の側板の該板状ベース部の側部との着脱自在な結合に関しては、従来の片開き又は両開きの綴金具に於ける該当する構成を自由に採用することができる。
【００２０】
従って本発明の１のファイル用綴金具によれば、板状ベース部の該当する側部に構成したヒンジ管に該当する側板の下端部に構成したヒンジ棒を極めて簡単に嵌合させ、ヒンジ部を構成させることができる。
【００２１】
まず該当する側板を上下反転させた上で、その下端部のヒンジ棒を板状ベース部の該当する側部のヒンジ管に軸心を一致させつつ直列に配置し、この状態から該ヒンジ棒を該ヒンジ管に挿入する。このとき、側板のヒンジ棒に直近の部位は前記スリットを通過することにより、該ヒンジ棒のヒンジ管に対する挿入動作を妨げたりはしない。従って極めて簡単にヒンジ棒のヒンジ管に対する挿入作業を行うことができる。またヒンジ棒が所定の嵌合深さまでヒンジ管中を進行すると、側板は、先に述べたように、これに構成した前記開口部が該ヒンジ管を回避できるようになるため、該ヒンジ棒を軸心として上下反転状態から正立状態に復帰させることができることとなる。
【００２２】
こうして側板が、前記上下反転状態から僅かでも回動し、該スリットと同一平面内にあった側板が該平面からずれた位置に移動すると、該側板の対応する部位がヒンジ管の端部に当接する関係となり、ヒンジ棒がヒンジ管から抜けることはできなくなる。該当する側板は板状ベース部をファイル用バインダの背表紙部の内面に取り付けてしまうと、正立状態から概ね９０°までしか回動させることができず、上下反転状態になることはあり得ないので、特別な対策を必要とせずして、ヒンジ棒がヒンジ管から抜ける虞のなくなるものである。
【００２３】
以上に説明したように、該当する側板を上下反転させた状態で、ヒンジ棒をヒンジ管に挿入嵌合させ、該側板を正立状態まで引き起こせば、これで側板の取付作業は完了である。なお、以上の側板の取付作業（ヒンジ管へのヒンジ棒の挿入及び側板の引き起こし作業）はヒンジ棒の挿入を適切な深さで止める治具を用いて行えば、より一層の効率向上を図ることができる。
【００２４】
従って本発明の１のファイル用綴金具によれば、一般の片開き構造の綴金具と全く同様に用いてファイル対象紙片を良好に綴じ又は除去することができるものでもある。
【００２５】
本発明の２は、本発明の１のファイル用綴金具に於いて、前記側板の下端部から延長したヒンジ棒用延長片を丸めて構成したものである。
【００２６】
前記ヒンジ棒用延長片の丸め方向は自由であるが、ヒンジ管への挿入の都合から対面する側板側に膨らむ状態で構成すべきであり、このようにする観点からは、対面する側板側に丸めるのが好都合である。
【００２７】
従って歩発明の２のファイル用綴金具によれば、ヒンジ棒が該側板と一体構造に構成できるものであり、合理的で強固な構成とすることができると共に、部品点数及び製作工数を低減することができる。
【発明の効果】
【００２８】
本発明の１のファイル用綴金具によれば、片開きの綴金具に於いて、固定側のヒンジ部の構成が簡明かつ合理的になり、部品点数が低減できると共にその工数が減少するため、容易かつスピーディに製造できるものである。またその使用の過程では、その側板が分離するような虞は全くなく、かえって合理的な構成となったため、耐久性等も向上したものである。また用い方に他の一般の片開きの綴金具と異なるところもなく、容易に使用できるものでもある。
【００２９】
本発明の２のファイル用綴金具によれば、ヒンジ棒が側板と一体構造となるため、ヒンジ棒取り付けの作業も不要となり、本発明の１のファイル用綴金具に対し、更なる製作工数及び部品点数の低減を図ることができる。
【発明を実施するための最良の形態】
【００３０】
本発明を実施するための最良の形態を、実施例に基づいて、図面を参照しながら詳細に説明する。
【実施例１】
【００３１】
この実施例のファイル用綴金具１は、図１、図２及び図３に示すように、片開き構造のそれで、基本的には、板状ベース部２と、その両側部に立ち上げる対面する一対の側板３及び側板４とで構成したものであり、その固定側（着脱しない側）の側板３と板状ベース部２とのヒンジ結合に特徴を有するものである。即ち、該ヒンジ結合を構成するヒンジは、板状ベース部２の該当する側部に外側方に張り出して構成したヒンジ管２２、２２…と、これらに嵌合する側板３の下端に構成したヒンジ棒３２とからなり、図８に示すように、前者への後者の嵌合操作又は抜き取り操作を、後者のヒンジ棒３２を備えた側板３の下部を、前者のヒンジ管２２、２２…の下側に前記板状ベース部２に沿って形成したスリット２２ａ、２２ａ…を通じて移動させることにより行う点に特徴を有するものである。
【００３２】
前記側板３は、その上部両側に、図１、図２、図３及び図８に示すように、後記一対の綴棒４１、４１と嵌脱自在に嵌合する一対の綴管３１、３１を備え、先に述べたように、下端部にヒンジ管２２、２２…と嵌合するヒンジ棒３２を備え、かつ該ヒンジ棒３２のヒンジ管２２、２２…との嵌合時に、これらと対応することとなる部位、即ち、該ヒンジ棒３２の各該当する部位の直上には、これらと干渉し合わないようにするために、回避手段である開口部３３、３３を形成したものである。
【００３３】
前記側板４は、図４に示すように、その上部両側に一対の綴棒４１、４１を備え、図１、図２及び図３に示すように、下端部が板状ベース部２の対応する側部に着脱自在に結合できるようになっている。該側板４は、図１に示すように、その下端部に形成された結合棒４２を、該側板４を下降させて、板状ベース部２の該当する側部に構成した当接片２５、２５上に当接させた状態で、その外方に配置され、抱持用バネ５６により内方に回動すべく付勢されている抱持用側板５により、抱持され、板状ベース部２の該当する側部との結合が保持されるようになっている。
【００３４】
このとき、図１に示すように、該抱持用側板５の高さ方向途中両側には、固定用突起５２、５２が内方に向かって突出構成され、これらが側板４に形成された開口部４３、４３から進入して前記結合棒４２を上方から抑え、これらと前記当接片２５、２５とで該結合棒４２を上下方向から抱えて、保持するようになっている。
【００３５】
なお、該抱持用側板５も板状ベース部２の対応する側部とヒンジ結合されているが、この実施例では従来のそれと同様に、交互に軸心を合わせて配置された抱持用側板５の下端部のヒンジ管５３、５３…と板状ベース部２の対応する側部のヒンジ筒２４、２４…とに同軸状にヒンジピン５４が挿入される構成になっている。該抱持用側板５に対して前記のように付勢する抱持用バネ５６は、図１に示すように、前記ヒンジピン５４に外装され、そのように作用するようになっている。
【００３６】
従って該抱持用側板５をその上端中央の操作片５１を摘んで外方に倒す操作をすると、前記固定用突起５２、５２が前記結合棒４２の上から後退し、その自由な動きを許容するようになり、側板４はこれを自由に上昇させることができることとなる。即ち、側板４は板状ベース部２との結合が解除されることになる。
【００３７】
以上のように、抱持用側板５を含む側板４の着脱自在な構成は、基本的に周知の構成を採用したものである。それ故、以上のように、その概略のみを述べるにとどめる。
【００３８】
前記板状ベース部２の他の側部（前記抱持用側板５を設けた側と反対側の側部）に支持片２１、２１…を立ち上げ、図１、図２、図３及び図５に示すように、この支持片２１、２１…の上端に各々該部位から直立状態に延長した延長片を丸めてヒンジ管２２を構成する。各ヒンジ管２２、２２…は、外側に丸めて該部位から外側に張り出した状態に構成する。該各延長片は、以上のようにしてこれを丸めた際に、その先端を各該当する支持片２１、２１…の外面に当接させず、該先端と該外面との間に隙間を残し、この隙間を、該ヒンジ管２２、２２…へのヒンジ棒３２の挿脱の際に側板３の該当する部位が通過するスリット２２ａ、２２ａ…とする。
【００３９】
この実施例では、以上のように、支持片２１、２１…及びヒンジ管２２、２２…は、板状ベース部２の側部からそれぞれ延長した延長片を加工して構成したもので、前記スリット２２ａ、２２ａ…は、その際に、その延長片の長さを予め適切に調節しておくことにより、適切な幅に形成されることになるも。そのためこれによって部材は勿論のこと、工数も増加することはない。
【００４０】
前記スリット２２ａ、２２ａ…の幅は、前記のように、該側板３の該当部位をここを通じて通過させるためのものであり、この実施例では、図６に示すように、該側板の板厚ｔの約２倍の幅α（α≒２ｔ）に形成したものである。このスリット２２ａ、２２ａ…は、前記のような構成の仕方であるから、自ずと支持片２１、２１…に沿ったものとなる。
【００４１】
また該スリット２２ａ、２２ａ…は、以上のように狭幅のものであり、ヒンジ管２２、２２…による荷重の支持に支障を来すことはない。
【００４２】
前記側板３は、前記し、図１、図２、図３及び図５に示すように、その最下端部にヒンジ棒３２を構成し、その直上の所定の部位に、先に述べたように、二つの開口部３３、３３を形成する。前記ヒンジ棒３２は、該側板３の下端を垂下延長して延長片を構成し、これを丸めて構成する。このとき、該延長片は内側、即ち、他の側板４と対面する側に折り曲げつつ丸めて構成する。そのため、ヒンジ棒３２は、文字通りの棒ではなく、内側に膨らんで構成されたパイプ状の部材となる。また該ヒンジ棒３２は、これをヒンジ管２２、２２…に嵌合した場合に、その全ヒンジ管２２、２２…に一度に嵌合しうる長さに構成するものである。もっとも該ヒンジ棒３２は、この実施例では、その両端は、両端のヒンジ管２２、２２には僅かに嵌合する程度の長さとした。
【００４３】
前記開口部３３、３３は、特に図５に示すように、その側板３のヒンジ棒３２を全ヒンジ管２２、２２…に正規の取付状態に嵌合した場合に、各々のヒンジ管２２、２２…が位置することとなる該ヒンジ棒３２の直上の部位に、各々それらのヒンジ管２２、２２…の厚みを越える縦方向の幅で、かつそれらの長さをわずかに越える横幅で開口したものである。こうして、該ヒンジ棒３２は、これを全ヒンジ管２２、２２…に正規の取付状態に嵌合した場合に、該ヒンジ管２２、２２…の中で自由に回動可能となり、これを最下端に構成した側板３を自由に起伏動作させ得ることとなる。
【００４４】
従ってこの実施例のファイル用綴金具１によれば、板状ベース部２への側板３のヒンジ部を介しての取り付けは、図８に示すように、該側板３を上下反転させ、下端のヒンジ棒３２をヒンジ管２２、２２…にその軸心を一致させつつ挿入し、該ヒンジ棒３２を正規の嵌合位置まで進入させた時点で、図１、図２、図３及び図５に示すように、該側板３を正立状態まで起立回動させれば、完了する。ヒンジ棒３２のヒンジ管２２、２２…への挿入操作は、図７(c)に示すように、側板３の該当する部位が前記スリット２２ａ、２２ａ…を通過することによって容易に実行することができることになる。
【００４５】
また前記のように、該ヒンジ棒３２が正規の嵌合状態になると、該側板３の開口部３３、３３が、図５に示すように、それぞれ内側の二つのヒンジ管２２、２２と対応する位置関係となり、相互の干渉作用がなくなるので、順次、図７(b)、(a)のように、該側板３を引き起こすことが可能となる。
【００４６】
このように、板状ベース部２への側板３のヒンジ部を介しての取付作業は極めて容易かつスピーディに行い得られるものである。
【００４７】
また前記ヒンジ棒３２のヒンジ管２２、２２…への正規の嵌合状態で、僅かでも側板３を引き起こすと、該側板３は前記スリット２２ａ、２２ａ…から外れ、前記開口部３３、３３以外の部分が各ヒンジ管２２、２２…の間に介在した状態となるため、今度は、ヒンジ棒３２は、その軸方向に沿っての移動が不能となる。特に該開口部３３、３３の幅が対応するヒンジ管２２、２２の長さを僅かに越える程度に構成してあるものであるため、ヒンジ棒３２は軸方向には殆ど動けず、それ故、これを下端に構成した側板３のガタ付きも殆ど生じないこととなる。
【００４８】
この実施例のファイル用綴金具１は、前記板状ベース部２をファイル用バインダの背表紙部の内面に固定することで取り付けるものであるが、このように取り付けてしまうと、側板３は、外方回動させた場合、いずれその外面側がバインダの内面に当接することとなるため、図７(b)に示すように、９０°程度までしか回動することができないこととなる。そのため、このファイル用綴金具１は、その使用中に、ヒンジ棒３２がヒンジ管２２、２２…から抜け出てしまうようなことはあり得ないこととなる。
【００４９】
以上のように、この実施例のファイル用綴金具はファイル用バインダに取り付けた後は、従来一般のそれと同様に、着脱側の側板４を取り外して綴棒４１、４１及び綴管３１、３１にファイル対象紙片を綴じ込み又は取り除き、再度これを復帰させて、その本来の用法に従って良好に使用できるものであることも云うまでもない。
【図面の簡単な説明】
【００５０】
【図１】実施例１のファイル用綴金具の概略斜視図。
【図２】図１と反対方向から見た実施例１のファイル用綴金具の概略斜視図。
【図３】一方の側板を持ち上げた状態の実施例１のファイル用綴金具の概略斜視図。
【図４】綴棒を備えた側板の概略斜視図。
【図５】図１のＡ−Ａ矢視図。
【図６】図５のＢ―Ｂ矢視拡大断面図。
【図７】(a)は側板の正立状態に於けるヒンジ棒とヒンジ管の嵌合状態を示す断面図、(b)は側板を外方に９０度回転した状態に於けるヒンジ棒とヒンジ管の嵌合状態を示す断面図、(c)は側板を上下反転させた状態に於けるヒンジ棒とヒンジ管の嵌合状態を示す断面図。
【図８】側板を上下反転させた状態でヒンジ棒をヒンジ管に挿入している状況を示す概略斜視図。
【符号の説明】
【００５１】
１    ファイル用綴金具
２    板状ベース部
２１  支持片
２２  ヒンジ管
２２ａ  スリット
２４  ヒンジ筒
２５  当接片
３    側板
３１  綴管
３２  ヒンジ棒
３３  開口部
４    側板
４１  綴棒
４２  結合棒
４３  開口部
５    抱持用側板
５１  操作片
５２  固定用突起
５３  ヒンジ管
５４  ヒンジピン
５６  抱持用バネ
【図１】
2005041137.tif 000003
【図２】
2005041137.tif 000004
【図３】
2005041137.tif 000005
【図４】
2005041137.tif 000006
【図５】
2005041137.tif 000007
【図６】
2005041137.tif 000008
【図７】
2005041137.tif 000009
【図８】
2005041137.tif 000010